(57)【要約】      （修正有）【課題】メモ、写真、カタログ等の着脱を繰り返し行うことが可能であるとともに、その着脱を容易に行うことが可能な展示ボードを提供する。【解決手段】発泡スチロール製としたボード本体２と、該ボード本体２の少なくとも一方の面に形成した吸着層と、吸着層に剥離自在に貼着した剥離紙とにより、各種ＰＯＰ広告、ポスター等を展示するために用いられる展示ボードを構成する。上記の吸着層は、弱粘着性を有するインクによって、スクリーン印刷の手法によって、前記ボード本体２に多数個の吸盤体５を印刷することで形成し、これにより、吸盤体５の吸引力によって各種のメモ、写真、カタログ等を展示ボードに係止可能とする。又、吸盤体を弱粘着性のインクにより形成しているために、吸盤体５の吸引力を用いることなく、柔らかく破れやすいものも貼着可能である。【選択図】図１
0003155541.tif 000002
【実用新案登録請求の範囲】
【請求項１】
発泡スチロール製としたボード本体（２）と、
該ボード本体（２）の少なくとも一方の面に形成した吸着層（３）と、
該吸着層（３）に剥離自在に貼着した剥離紙（４）と、を具備した、各種ＰＯＰ広告、ポスター等を展示するために用いられる展示ボードであって、
前記吸着層（３）は、弱粘着性を有するインクによって、前記ボード本体（２）に多数個の吸盤体（５）を印刷することで形成されたことを特徴とする展示ボード。
【請求項２】
前記吸盤体（５）をスクリーン印刷により形成したことを特徴とする請求項１に記載の展示ボード。
【考案の詳細な説明】
【技術分野】
【０００１】
本考案は、各種のメモ、写真、カタログ等を展示するために用いられる発泡スチロール製の展示ボードに係り、より詳しくは、各種のメモ、写真、カタログ等を、容易に、かつ繰り返し、着脱自在とした展示ボードに関する。
【背景技術】
【０００２】
従来から、各種のメモ、写真、カタログ等を係止するものとして展示ボードが提案されており、この展示ボードとしては、例えば発泡スチロール製の基台に接着層を形成するとともにこの接着層に着脱自在に剥離紙を貼りつけ、剥離紙を剥がして接着層を露出させた後に接着層にメモ、写真、カタログ等を貼着可能としたものや、コルク製のボードで構成し、画鋲等を用いてメモ、写真、カタログ等を係止可能としたもの、あるいはマグネットを用いて各種のメモ等を係止可能とした磁性体よりなるホワイトボード等がある。
【０００３】
そしてこれらの展示ボードを用いることにより、例えば展示会場において自社製品のカタログ等を係止し、あるいは、家庭等において簡単なメモ、写真等を係止し、更には、ＰＯＰ広告を行うことが可能である。
【０００４】
しかしながら、例えば接着層を備えた展示ボードの場合には、一度メモ等を貼着した後にはその貼着したメモ等を取り外すことができないために、繰り返し使用することができないという問題点があるとともに、そのために、メモ等の貼着に際しても、貼着位置の修正等が不可能であるために細心の注意を必要とするという問題点がある。
【０００５】
また、コルクボードにより形成された展示ボードでは、係止したメモ等の取り外しは可能だが、画鋲等を用いなければならないために、使用しない場合の画鋲の取り扱いが面倒になり、また、急に使用する場合において画鋲が無いときには展示ボードとしての役割を果たすことができない、という問題点がある。そしてこれらのことは、マグネットを用いてメモ等を係止可能とした磁性体製のホワイトボードについても言えることである。
【０００６】
そのために、本考案者は過去に、ボード基台と、該ボード基台に支持されたボードフィルムとにより構成されるとともに、ボードフィルムに多数個の小径の吸盤を備えた展示ボードを提案している。
【０００７】
そして、この展示ボードによれば、吸盤の吸引力によって各種のメモ、写真、カタログ等を展示ボードに吸着可能であるため、メモ、写真、カタログ等を係止する際にはそのメモ等を展示ボードに強く押し付けるのみでよく、また、係止してあるメモ等を取り外す場合には、吸着させたメモ等をめくり取るのみでよく、従って、メモ、写真、カタログ等の着脱を繰り返し行うことが可能であるとともに、その着脱を容易に行うことが可能である。
【先行技術文献】
【特許文献】
【０００８】
【特許文献１】実用新案登録第３０９９６５６号公報
【特許文献２】実用新案登録第３０８８０７３号公報
【考案の概要】
【考案が解決しようとする課題】
【０００９】
しかしながら、前述のように、ボードフィルムに吸盤を備えて、この吸盤の吸引力によって各種のメモ、写真、カタログ等を係止可能とした場合において、被係止物であるメモ等が薄くて破れやすいシート等であった場合には、これを吸盤に吸着させることは困難であり、強引に吸盤に吸着させた場合には破れてしまうことも容易に考えることができる。
【００１０】
その一方、前述したように、接着剤を用いた場合には、一度貼着した後にはその貼着したメモ等を取り外すことができないために、繰り返し使用することができないという問題点がある。
【００１１】
そこで、本考案は、メモ、写真、カタログ等の着脱を繰り返し行うことが可能であるとともに、その着脱を容易に行うことが可能な展示ボードを提供することを課題としている。
【課題を解決するための手段】
【００１２】
本考案の展示ボードは、
発泡スチロール製としたボード本体と、
該ボード本体の少なくとも一方の面に形成した吸着層と、
該吸着層に剥離自在に貼着した剥離紙と、を具備した、各種ＰＯＰ広告、ポスター等を展示するために用いられる発泡スチロール製の展示ボードであって、
前記吸着層は、弱粘着性を有するインクによって、前記ボード本体に多数個の吸盤体を印刷することで形成されたことを特徴としている。
【考案の効果】
【００１３】
本考案の展示ボードでは、発泡スチロール製のボード本体の少なくとも一方の面に、多数個の吸盤体を印刷した吸着層を有しており、これにより、吸盤の吸引力によって各種のメモ、写真、カタログ等を、展示ボードに吸着させて係止可能としている。
【００１４】
そのため、メモ、写真、カタログ等を係止する際にはそのメモ等を展示ボードに強く押し付けるのみでよく、また、係止してあるメモ等を取り外す場合には、係止したメモ等をめくり取るのみでよく、従って、メモ、写真、カタログ等の着脱を繰り返し行うことが可能であるとともに、その着脱を容易に行うことが可能である。
【００１５】
また、前記吸盤体は、弱粘着性のインクにより印刷しており、それにより吸盤体に弱粘着性を持たせているため、展示ボードに係止する被係止物が薄く破れやすいシート等であった場合には、吸盤体の吸引力を用いることなく、吸盤体に接触させることのみで吸盤体の粘着力で吸盤体に貼着することができ、従って、柔らかく破れやすいものでも容易に貼着することができる。
【図面の簡単な説明】
【００１６】
【図１】本考案の展示ボードの実施例の斜視図である。
【図２】本考案の展示ボードの実施例の構造を示す断面図である。
【図３】本考案の展示ボードの実施例における吸盤体を説明するための図であり斜視を示している。
【図４】本考案の展示ボードの実施例における吸盤体を説明するための図でありボード本体に形成した状態の断面を示している。
【考案を実施するための形態】
【００１７】
本考案の展示ボードでは、ボード本体を備えており、このボード本体は、発泡スチロール製としている。
【００１８】
そして、このボード本体の表面側には吸着層が形成されており、この吸着層は、吸盤性能を発揮可能な形状とした吸盤体を、多数個、ボード本体に印刷することで形成されており、この吸盤体の吸引力により、ボード本体に、各種のメモ等を係止可能としている。
【００１９】
また、前記吸盤体を印刷するためのインクとしては、弱粘着性のインクを用いており、これにより、吸盤体は弱粘着性を有しており、吸盤体の吸引力で吸引した場合には破れてしまうような薄い被係止物の場合には、吸盤体の粘着力により展示ボードに貼着可能としている。
【００２０】
そして、本考案においては、前記吸盤体を、ボード本体上にスクリーン印刷を施して形成しており、これにより、容易に多数個の小径の吸盤体を形成することを可能としている。
【実施例１】
【００２１】
本考案の展示ボードの実施例について図面を参照して説明すると、図１は、本実施例の展示ボードの概略斜視図であり、また、図２は本実施例の構造を示す断面図であり、図において１が本実施例の展示ボードである。
【００２２】
そして、本実施例の展示ボード１は、全体として四角形状の板状としたボード本体２を備えており、このボード本体２は、発泡スチロール製としている。
【００２３】
次に、図において３は吸着層である。即ち、本実施例における展示ボード１では、前記ボード本体２の表面に吸着層３を形成しており、この吸着層３にメモ、写真、カタログ等の被係止物を係止可能としている。
【００２４】
ここで、前記吸着層３について説明すると、本実施例において、前記吸着層３は、前記ボード本体２の表面に、多数個の吸盤体を印刷することで形成されている。
【００２５】
即ち、図において５が吸盤体であり、本考案において前記吸盤体５は、吸盤としての性能を発揮可能な形状であればいずれの形態としてもよく、本実施例において前記吸盤体５は、図３及び図４に示されているように、高さが短いとともに径の小さい円筒形状の形態としている。即ち、図３は本実施例における吸盤体５の斜視図であり、図４は、ボード本体２の表面に形成した状態の吸盤体５をボード本体２とともに断面で示した図である。
【００２６】
そして、本実施例においては、この吸盤体５を多数個、弱粘着性のインクによって、かつ、シルクスクリーン印刷の手法を用いて、前記ボード本体２の表面に印刷している。
【００２７】
そのため、本実施例においては、前記吸盤体５の上方を閉鎖するようにしてメモ等を吸盤体５に強く押し付けると、メモ等の押圧力によって吸盤体５の側壁５０１が外側に広がっていくとともに吸盤体の内部５０２の空気が排出されて吸盤体の内部５０２が負圧になり、それによって、吸盤体５の上方を閉鎖しているメモ等を吸引して吸着させることが可能である。
【００２８】
従って、本実施例の展示ボード１では、マグネット、画鋲等を用いることなく、展示ボード１に所望する各種のメモ、写真、カタログ等を係止することが可能であるとともに、係止したメモ等をめくり取ることのみで取り外すことができるために、繰り返し使用することも可能であり、また、画鋲等を用いること無くメモ等を係止可能であるために、急に使用する場合であっても、これに対応することが可能である。
【００２９】
また、本実施例において前記吸盤体５は、弱粘着性のインクによって印刷しているために、吸盤体５自体が弱粘着性を有している。そのため、この吸盤体５にメモ等を接触させるのみで、吸盤体５の粘着力により、接触させたメモ等を吸盤体５に係止することができる。
【００３０】
従って、本実施例の展示ボードにおける吸着層３では、薄くて破れやすいメモ等、例えば、薄紙、ビニールシート状のメモ等の場合で、吸盤体５に押し付けると破れてしまう場合などでも、吸盤体５に接触させることのみで係止することができるため、単に吸盤体を備えた展示ボードの場合には係止することが困難であった被係止物でも容易に係止することが可能である。
【００３１】
更に、本実施例の展示ボードでは、前記吸着層３をシルクスクリーン印刷の手法によって印刷形成しているために、容易に吸着層３を形成することが可能である。
【００３２】
次に、図２において４は剥離紙である。即ち本実施例の展示ボード１では、前記吸着層３の表面に剥離紙４を剥離自在に貼着しており、これにより、使用しない場合に、ゴミ等が吸盤体５に吸着してしまうことを防止している。なお、この剥離紙４は、吸着層３に対して着脱自在な素材であれば、いずれの素材で構成してもよい。
【００３３】
次に、このように構成される本実施例の展示ボード１を使用する場合について説明すると、例えば、展示会場等において本実施例の展示ボード１に自社製品のカタログ等を係止する場合には、剥離紙４を吸着層３から剥離して吸着層３を露出させた後に、この露出させた吸着層３にカタログ等を強く押しつけるのみでよい。
【００３４】
そうすると、これによって、前述のように、吸盤体５の吸引力によってカタログ等を展示ボード１に吸着させて係止することが可能であり、使用後には、この展示ボード１に吸着させたカタログ等をめくり取るのみでその吸着を解除することができ、これにより、展示ボードを繰り返し使用することが可能となる。
【００３５】
また、被係止物が薄い紙やビニールシート等の薄く破れやすい場合には、これらを吸盤体５に軽く接触させるのみでよく、それにより、吸盤体５の粘着力により、被係止物を吸盤体５に接着させて係止することができるとともに、弱粘着性のインクであるために、容易に剥離することが可能である。
【００３６】
このように、本実施例の展示ボード１では、ボード本体２の表面に弱粘着性のインクにより、吸盤体５を多数個形成しているため、この吸盤体５にメモ、写真、カタログ等を強く押しつけるのみで、展示ボード１に各種のメモ等を貼りつけることができ、更に、貼りつけたメモ等をめくり取ることのみでこれを剥がすことができる。したがって、本実施例の展示ボード１を用いることによって、メモ、写真、カタログ等の着脱を繰り返し行うことが可能であるとともに、その着脱を容易に行うことが可能となる。
【００３７】
また、吸盤体５を弱粘着性のインクで印刷形成しており、これにより吸盤体５に粘着力を付与しているために、被係止物が薄い紙やビニールシート等の薄く破れやすい場合でも、これらを展示ボード１に貼り付けることができるとともに剥離することも可能である。
【００３８】
なお、前述の説明では、ボード本体１の表面に吸着層３を形成した場合を説明したが、本考案において前記吸着層３は、ボード本体２の表面のみならず、表裏双方の面に形成してもよい。
【００３９】
また、吸盤体５の形態は必ずしも、高さが短いとともに径の小さい円筒形状の形態にする必要はなく、吸盤としての性能を発揮可能な形状であればいずれの形態としてもよい。
【産業上の利用可能性】
【００４０】
本考案の展示ボードは、ＰＯＰ広告やポスター、カタログ等を貼着するために用いる展示ボードにおいて、少なくともボード本体の表面に、弱粘着性のインクを用いて、多数個の吸盤体を印刷し、これにより、吸盤の吸引力又は粘着力によって各種のメモ、写真、カタログ等を展示ボードに係止可能としているために、ＰＯＰ広告の貼着用等、展示ボードの全般に適用可能である。
【符号の説明】
【００４１】
１    展示ボード
２    ボード本体
３    吸着層
４    剥離紙
５    吸盤体
【図１】
0003155541.tif 000003
【図２】
0003155541.tif 000004
【図３】
0003155541.tif 000005
【図４】
0003155541.tif 000006